(57)【要約】【課題】高導電率の溶液を検査する場合であってもドリフトの影響を回避し、被検査物を定量的に測定する精度を向上させることが可能な検査装置を提供する。【解決手段】インピーダンスを測定して細菌Ｓ’の状態を定量的に測定する細菌検査装置９は、測定セル１と、薄膜電極２と、第１表面被覆部１４とを備えている。測定セル１は、細菌Ｓ’が含有されている試料液Ｓを保持する。薄膜電極２は、一方の面１８が試料液Ｓに接するように配置されている。第１表面被覆部１４は、薄膜電極２における他方の面１９がモールド樹脂によって被覆されている。【選択図】図２
2011106814.tif 000002
【特許請求の範囲】
【請求項１】
電極インピーダンスを測定して被検査物の状態を定量的に測定する検査装置であって、
前記被検査物が含有されている溶液を保持するケース部と、
一方の面が前記溶液に接するように配置されている薄膜電極と、
前記薄膜電極における他方の面を被覆している第１表面被覆部と、
を備えている、検査装置。
【請求項２】
前記第１表面被覆部は、前記ケース部と一体成形されている、
請求項１に記載の検査装置。
【請求項３】
前記薄膜電極は、薄板状の樹脂板上に配置されている、
請求項１または２に記載の検査装置。
【請求項４】
前記樹脂板は、ＰＥＴにより形成されている、
請求項３に記載の検査装置。
【請求項５】
前記薄膜電極における前記一方の面において、導電部が櫛歯状に対向して配置されている櫛歯部と、前記櫛歯部の周辺領域において表面が被覆されている第２表面被覆部と、をさらに備えている、
請求項１から４のいずれか１項に記載の検査装置。
【発明の詳細な説明】
【技術分野】
【０００１】
本発明は、溶液中の被検査物を捕集し、定量的に測定する検査装置に関する。
【背景技術】
【０００２】
シート基板上に複数の導電部を配置した薄膜電極を被検査物含有の溶液を入れたセルに浸して、電極に交流電圧を印加したときの誘電泳動力によって電極上に被検査物を捕集し、捕集後または捕集中の電極のインピーダンスを測定することによって、被検査物を定量的に測定する検査装置が開示されている。
【０００３】
例えば、内部に測定のための電極を備え、サンプルを含む試料を保持することができる測定セルと、電極に誘電泳動を行うための電圧を印加する電源部と、試料液中の微生物数を算出する測定部と、電源部と測定部とを制御する制御部とを備えている微生物数測定装置が開示されている（特許文献１）。そして、微生物数測定装置は、電極に電圧が印加されたときの誘電泳動力によって試料液中の微生物を電極上に捕集し、微生物を捕集中または捕集した後の電極間のインピーダンスを測定することによって試料液中の微生物数を定量的に測定する。
【特許文献１】特開２０００−１２５８４６号公報
【発明の開示】
【発明が解決しようとする課題】
【０００４】
しかしながら、上記従来の検査装置では、以下に示すような問題点を有している。
すなわち、高導電性の溶液においては、電極インピーダンスが変化する現象（ドリフト）が発生する。そして、このドリフトが、被検査物（細菌）によるインピーダンス変化量よりも大きい場合、被検査物を定量的に測定する精度が低下する。
【０００５】
本発明は、上記従来の課題を解決するもので、高導電性の溶液を検査する場合であってもドリフトの影響を回避し、被検査物を定量的に測定する精度を向上させることが可能な検査装置を提供することを目的とする。
【課題を解決するための手段】
【０００６】
第１の発明に係る検査装置は、電極インピーダンスを測定して被検査物の状態を定量的に測定する検査装置であって、ケース部と、薄膜電極と、第１表面被覆部とを備えている。ケース部は、被検査物が含有されている溶液を保持する。薄膜電極は、一方の面が溶液に接するように配置されている。第１表面被覆部は、薄膜電極における他方の面を被覆している。
【０００７】
ここでは、薄膜電極において溶液に接する面（一方の面）と反対側の面（他方の面）が、例えば、樹脂等の第１表面被覆部によって被覆されている。
なお、ここでいう薄膜電極は、後述する樹脂板上に配置されている場合には、樹脂板も含むものとする。
【０００８】
従来より、電気泳動力によって被検査物を捕集するための電極を用い、その電極が、被検査物を捕集中、あるいは、捕集後の電極インピーダンスを測定することによって、被検査物を定量的に測定することが行われている。しかし、被検査物を含む溶液が、高導電性を有する場合には、電極インピーダンスが変化する現象（ドリフト）が発生する。そして、被検査物に起因する電極インピーダンスの変化から被検査物を定量的に測定する方法において、このドリフトによる電極インピーダンスの変化は、被検査物を定量的に測定する精度を低下させてしまう原因となる。
【０００９】
そこで、本発明の薄膜電極においては、薄膜電極において溶液に接する面（一方の面）と反対側の面（他方の面）を第１表面被覆部によって被覆している。
これにより、ドリフトによる電極インピーダンスの変化を検知する薄膜電極における他方の面と高導電性の溶液との接触面積を小さくして、薄膜電極に流れる電流を減少させることができる。すなわち、薄膜電極における電気的特性変化において、被検査物を捕集する以外の部分での電気的特性変化が占める割合を減少させて、高導電性の溶液の影響が極力小さくなるようにしている。
【００１０】
この結果、高導電性の溶液を検査する場合であってもドリフトの影響を回避し、被検査物を定量的に測定する精度を向上させることが可能となる。
【００１１】
第２の発明に係る検査装置は、第１の発明に係る検査装置であって、第１表面被覆部は、ケース部と一体成形されている。
ここでは、第１表面被覆部が、ケース部の一部として形成されている。
これにより、薄膜電極における他方の面が、ケース部によって完全に覆われた状態となるので、高導電性の溶液との接触による上記悪影響を確実に回避することが可能となる。
【００１２】
第３の発明に係る検査装置は、第１または第２の発明に係る検査装置であって、薄膜電極は、薄板状の樹脂板上に配置されている。
ここでは、薄膜電極が、例えば、薄板状の樹脂板上に蒸着されている。
【００１３】
ここで、薄膜電極は、熱等に弱く、例えば、薄膜電極をケース部と一体成形する場合においては、モールド樹脂を流し込む際の熱によって不具合を発生させるおそれがある。
そこで、本発明の薄膜電極においては、薄膜電極の他方の面と第１表面被覆部との間に、薄板上の樹脂板が配置されている。
【００１４】
これにより、薄膜電極の表面を保護することが可能となり、耐熱性に優れた薄膜電極を提供することができる。なお、許容される範囲において、樹脂板は厚くする程、その効果が大きくなる。この結果、例えば、薄膜電極の他方の面を覆う第１表面被覆部とケース部とをモールド樹脂によって一体形成する場合であっても、不具合を発生させることなく生産することが可能となる。
【００１５】
第４の発明に係る検査装置は、第３の発明に係る検査装置であって、樹脂板は、ＰＥＴにより形成されている。
ここでは、薄膜電極を配置する樹脂板がＰＥＴ（ポリエチレンテレフタート）によって形成されている。
これにより、耐熱性を確保することが可能となる。
【００１６】
第５の発明に係る検査装置は、第１から第４の発明のいずれか１つに係る検査装置であって、薄膜電極における一方の面において、導電部が櫛歯状に対向して配置されている櫛歯部と、櫛歯部の周辺領域において表面が被覆されている第２表面被覆部とをさらに備えている。
【００１７】
ここでは、薄膜電極における第１表面被覆部によって被覆されている面とは反対側の面（一方の面）において、櫛歯部を除く周辺領域の表面が被覆されている。
これにより、ドリフトによる電極インピーダンスの変化を検知する櫛歯部以外の表面と高導電性の溶液との接触面積を小さくして、薄膜電極に流れる電流を減少させることができる。すなわち、薄膜電極における電気的特性変化において、被検査物を捕集する櫛歯部の電気的特性変化が占める割合を増加させて、高導電性の溶液の影響が極力小さくなるようにしている。
【００１８】
この結果、被検査物を定量的に測定する精度をさらに向上させることが可能となる。
【発明の効果】
【００１９】
本発明に係る検査装置によれば、高導電性の溶液を検査する場合であってもドリフトの影響を回避し、被検査物を定量的に測定する精度を向上させることが可能となる。
【発明を実施するための最良の形態】
【００２０】
［第１の実施形態］
本発明の一実施形態に係る細菌検査装置（検査装置）９について、図１〜図８を用いて説明すれば以下の通りである。
【００２１】
［細菌検査装置９の構成］
細菌検査装置９は、図１に示すように、測定セル（ケース部）１、薄膜電極２、回転子３、スターラー４、電源部５、測定部６、制御部７および表示部８を主に備えている。
【００２２】
測定セル１は、円筒状のガラス製容器であり、試料液（溶液）Ｓを導入／排出するための開口部が設けられている。また、後述する試料液Ｓを攪拌するための回転子３を測定セル１に隣接して配置されるスターラー４の磁気力を介して回転させるために、測定セル１は、磁力を遮ることがないガラスを使用している。なお、測定セル１の材質は、ガラス以外にもプラスチックなどを用いることもできる。
【００２３】
薄膜電極２は、図４に示すように、電極基板１０および導電部１１を有している。薄膜電極２は、導電体をスパッタリングや蒸着やメッキ等の方法によって電極基板１０上に被覆して形成されている。そして、薄膜電極２は、電圧が印加されると、ギャップ１２付近の電界が最も強くなる。このため、細菌（被検査物）Ｓ’は、電界が最も集中するこのギャップ１２付近に向かって泳動する。なお、薄膜電極２については、後段にて詳述する。
【００２４】
回転子３およびスターラー４は、試料液Ｓを攪拌して試料液Ｓと電極との相対位置を変化させる。なお、回転子３およびスターラー４は、試料液Ｓを電極上で流動させて相対位置を変化させる流動促進手段であれば、必ずしも本実施形態の回転子３とスターラー４である必要はない。例えば、ポンプ等を用いて測定セル１内に水流を生成したり、電極が可動機構上に取り付けられ電極自身が回転したり、振動したり、平行移動したりしてもよい。回転子３は、様々な形態のものが選択可能であるが、本実施形態では、円筒形のものを使用している。
【００２５】
電源部５は、誘電泳動を起こすための交流電圧を薄膜電極２に供給する。ここでいう交流とは、正弦波のほか、ほぼ一定の周期で流れの向きを変える電圧をいい、この双方向の電流の平均値が等しいものをいう。本実施形態においては、誘電泳動のための交流電圧として周波数１００ｋＨｚ、ピーク間電圧（以下、ｐｐと表す）５Ｖを印加している。もちろん、誘電泳動のための交流電圧の周波数と電圧値は前述した値に限られるものではなく、広い範囲から選択することができる。
【００２６】
制御部７は、図示しない、マイクロプロセッサ、予め設定されたプログラムを保存するためのメモリ、タイマー、そして、使用者が測定を指示するための測定開始ボタン等の操作ボタンから構成されている。そして、制御部７は、予め設定されたプログラムにしたがって電源部５を制御して薄膜電極２に誘電泳動のための電圧を印加する。また、制御部７は、測定部６と信号の送受信を行い、適宜制御を行うことで測定動作全般の流れを管理する。さらに、制御部７は、測定結果や動作状況等を表示部８に表示する。
【００２７】
測定部６は、図示しない、マイクロプロセッサ、測定データや演算結果を一時的に保存するためのメモリ、そして、電極に印加された電圧、電極間に流れている電流、そして、電圧と電流との位相の差（以後、位相角とする）を測定するための回路などから構成され、電極のインピーダンス解析を行うための演算を行う。そして、電極のインピーダンス解析結果から試料液Ｓ中の細菌数を算出することができる。なお、前述の算出については、既知の算出方法を使用している。また、測定部６のマイクロプロセッサやメモリは、制御部７のマイクロプロセッサやメモリと共用することができる。
【００２８】
表示部８は、ＬＣＤ等のディスプレイやプリンター、スピーカー等で、溶液中の細菌数を出力する。なお、本実施形態では、口腔内の衛生状態を試料液Ｓ中の細菌数を表示する。なお、表示方法としては、例えば、バーグラフ等を用いて半定量的な表現で表示したり、さらに抽象的に○×表示を行ったり、視覚的な表示に加えて（または代えて）音声やそのほかの伝達手段を用いることも自由であり、これら多くの表示方法の中から目的に応じて最適なものを選択すればよい。
【００２９】
［薄膜電極２の詳細説明］
薄膜電極２は、図２，図３に示すように、測定セル１の背面に配置され、一方の表面１８が測定セル１に充填される試料液Ｓに接している。そして、薄膜電極２は、図４に示すように、櫛歯部１３と樹脂板１７とを備えている。
【００３０】
櫛歯部１３は、図５に示すように、対向する二つの導電部１１が微少なギャップ１２を介して入れ子状に配置されている。本実施形態においてギャップ１２の間隔は、５μmに設定されている。なお、ギャップ１２の間隔は、測定対象となる試料液Ｓ中の細菌Ｓ’の種類や濃度に応じて、０．２〜３００μmの範囲で適宜調節することが望ましい。
【００３１】
樹脂板１７は、ＰＥＴ（ポリエチレンテレフタート）により形成された薄板状の部材であって、薄膜電極２に蒸着されている。樹脂板１７は、主に、薄膜電極２を損傷等から保護するために配置されている。
【００３２】
薄膜電極２は、図２，図３に示すように、測定セル１と一体に成形されている。具体的には、樹脂板１７と薄膜電極２とをインジェクション金型にセットしてモールド樹脂を充填することによって一体成形している。これにより、薄膜電極２における試料液Ｓと接する表面（以後、薄膜電極２の表面１８と示す）とは反対側の表面（以後、薄膜電極２の裏面１９と示す）にモールド樹脂によって完全に覆う第１表面被覆部１４を形成することができる。これにより、試料液Ｓと薄膜電極２とが接することを完全に遮断することが可能となる。ここで、樹脂板１７は、耐熱性を有するＰＥＴにより形成されているので、モールド樹脂を充填する際の熱から、薄膜電極２を保護する効果も有している。
【００３３】
薄膜電極２は、電極基板１０上に形成された導電部１１に電圧を供給するために、測定セル１の外部に突出するように配置されている端子部１５と接続されている。そして、薄膜電極２は、電圧が印加されると、ギャップ１２付近の電界が最も強くなり、細菌Ｓ’は、電界が最も集中するこのギャップ１２付近に向かって泳動する。
【００３４】
［細菌検査装置９で利用する誘電泳動についての説明］
続いて、本実施形態に係る細菌検査装置９で利用する誘電泳動について簡単に説明を行う。詳細な説明については、文献Ｊ．ｔｈｅｏｒ．Ｂｉｏｌ（１９７２）ｖｏ１．３７，１−１３等を参照することとする。
【００３５】
薄膜電極２に高周波の交流電圧を印加すると、これによって発生する交流電界の作用により、測定セル１内の細菌Ｓ’は、最も電場が強くかつ不均一な部分に泳動される。上述したように、本実施形態においては、薄膜電極２のギャップ１２が最も電界が強く、かつ、不均一な部分に該当する。このとき、細菌Ｓ’の誘電体微粒子としての双極子モーメントをμとすると、誘電泳動力Ｆは、電場Ｅとの間に式１の関係が存在する。
【００３６】
【数１】
2011106814.tif 000003
【００３７】
さらに、細菌Ｓ’の細胞質の比誘電率をε２、細菌Ｓ’を含んでいる液体の比誘電率をε１、細菌Ｓ’を球体と見なしたときの半径をａ、円周率をπとすると、誘電泳動力Ｆは、式２のように書き換えることができる。
【００３８】
【数２】
2011106814.tif 000004
【００３９】
式２は、誘電泳動による力が電位勾配、媒質と誘電体微粒子としての細菌Ｓ’の比誘電率の差などの影響を受けることを示している。
【００４０】
さて、図５に示すギャップ１２は、櫛歯状の導電部１１が対向している部分である。ギャップ１２付近に浮遊する細菌Ｓ’は、ギャップ１２間に生じるこのような電界作用によってギャップ１２に引き寄せられ、電気力線に沿って整列する。このとき、ギャップ１２付近の細菌Ｓ’の整列状態は、試料液Ｓ体中に存在する細菌数とギャップ１２との間隔に依存する。しかし、十分に細菌数が多いときには、ギャップ１２において細菌Ｓ’が鎖状に繋がって架橋されるほどになる。そして、当初からギャップ１２付近に浮遊していた細菌Ｓ’は、直ちにギャップ１２部分へ移動し、ギャップ１２から離れたところに浮遊していた細菌Ｓ’は、距離に応じた所定時間経過後にギャップ１２部に到達する。このため、所定の時間後にギャップ１２付近の所定領域に集まっている細菌Ｓ’の数は、測定セル１内の細菌数に比例する。そして、細菌検査装置９では、この比例関係を基に、試料中の細菌数を算出する。
【００４１】
［細菌検査装置９における細菌数の測定方法］
制御部７は、まず、薄膜電極２に周波数８００ｋＨｚ、１Ｖｐｐ＋３ＭＨｚ、１０Ｖｐｐの交流電圧を印加する。これとともに、測定部６は、電流および位相角の測定を開始する。本実施形態においては、測定データは、０．５秒おきに採取され、その度に演算された結果が測定部６内の図示しないメモリに蓄積される。以下、データが採取され演算されてからメモリに蓄積されるまでの過程を説明する。
【００４２】
測定部６は、印加された電圧、電流、位相角の３つのデータを収集する。測定部６は、これらの測定結果から、薄膜電極２に想定される等価回路（後述する抵抗および静電容量から構成されるＣＲの並列回路）の８００ｋＨｚにおけるインピーダンスを計算し、最終的に薄膜電極２の静電容量Ｃを算出する。
【００４３】
静電容量Ｃを求めるためには、まず、薄膜電極２のインピーダンスを求め、このインピーダンスに対して後述する位相角を加味した演算を行う。インピーダンスは、印加電圧と電流の除算で求めることができる。静電容量Ｃの算出は、インピーダンスを測定するための電圧と電流との位相差を角周波数の角度差で表現した値（以下、位相角という）を使って複素平面上に極座標表現し、これを解析することで算出することができる。以下、インピーダンスをＺ、静電容量をＣ、リアクタンスをｘ、レジスタンスをｒとして、図６（ａ）、図６（ｂ）、図７および式３〜７を用いて詳細に説明する。
【００４４】
【数３】
2011106814.tif 000005
【００４５】
【数４】
2011106814.tif 000006
【００４６】
【数５】
2011106814.tif 000007
【００４７】
【数６】
2011106814.tif 000008
【００４８】
【数７】
2011106814.tif 000009
【００４９】
式３は、ＣＲ並列等価回路の合成インピーダンスを表し、式４は、ＣＲ並列等価回路のレジスタンスを表し、式５は、ＣＲ並列等価回路のリアクタンスを表し、式６は、ＣＲ並列等価回路の抵抗値を表し、式７は、ＣＲ並列等価回路の静電容量値を表している。
【００５０】
図６（ａ）は、薄膜電極２の電気的状態を等価回路で示したものである。等価回路は、薄膜電極２における一方の極５０、薄膜電極における他方の極５１、等価回路における等価的な静電容量成分を表す静電容量Ｃ５２、等価回路における抵抗成分を表す抵抗Ｒ５３によって示すことができる。また、図６（ｂ）は、横軸を時間軸５４、縦軸を波形の振幅を表す軸５５として、印加される電圧波形５６、回路を流れる電流の波形５７を表している。
【００５１】
測定開始直後のギャップ１２の間には、細菌Ｓ’を含んだ試料液Ｓが存在している。細菌Ｓ’が、誘電泳動によって電極間のギャップ１２に移動する前には、試料液Ｓを電極間誘電体として構成される静電容量Ｃ５２と試料液Ｓによる抵抗Ｒ５３とが並列に電極５０と５１との間を結んでいると考えられる。そして、誘電泳動によって細菌Ｓ’が移動した後は、後述するように細菌Ｓ’が誘電体微粒子としてふるまうために、静電容量Ｃ５２と抵抗Ｒ５３との絶対値は変化するが、等価回路の接続形態は変わらない。以下、この等価回路をＣＲ並列回路と呼ぶ。
【００５２】
このようなＣＲ並列回路に交流電圧を印加すると、回路に流れる電流５７と印加した電圧５６との間に、図６（ｂ）に示すような位相の差が現れることが一般に知られている。そして、電圧の周波数を角周波数ωで表したときの角度差θを用いて、複素平面上に極座標表示すると、電圧、電流、位相角の間には、図７に示す関係がある。
【００５３】
インピーダンスＺは、測定される印加電圧と電流の除算で得られ、図７に示されたベクトルの絶対値に相当する。この時、インピーダンスＺは、Ｚ＝ｒ＋ｊｘ（ｊは虚数単位）で表現することができ、レジスタンスｒは、ｒ＝Ｚｓｉｎθとして図６（ａ）に示されたＣＲ並列回路の合成インピーダンスの電気抵抗成分、リアクタンスｘは、ｘ＝Ｚｃｏｓθとして同回路の静電容量成分の逆数に関連付けられる。
【００５４】
一方、図６（ａ）のＣＲ等価回路の合成インピーダンスは、式３で表現され、式３をＺ＝ｒ＋ｊｘの関係からレジスタンスｒとリアクタンスｘとに分解すると、式４と式５とが得られる。さらに、式４と式５とを連立させて変形すると、式６と式７とを得ることができる。
【００５５】
式６および式７に測定のための電圧値、その時の電流値、電圧と電流の位相角の測定値から演算したｒ、ｘ、ωを代入することにより等価回路における抵抗Ｒ５３と静電容量Ｃ５２とを知ることができる。
【００５６】
このような演算を行って得られた静電容量Ｃ５２の値は、測定を行った時間または測定を行った順番を表す値と共にメモリに記録される。その後、予めプログラミングされた所定の回数のデータ数を採取し、測定部６は、蓄積された静電容量Ｃ５２のデータ解析を行う。静電容量Ｃ５２のデータ解析は、時間経過に伴う静電容量Ｃ５２の変化の傾きの値を求める。
【００５７】
そして、この静電容量Ｃ５２の時間変化の傾きから細菌数を算出する。なお、この静電容量Ｃ５２から細菌数を算出する具体的な方法は、特許文献１（特開２０００−１２５８４６号公報）を参照することとする。
以上に示したように、試料液Ｓ中の細菌数は、電極間のインピーダンスを測定し、その結果から静電容量Ｃ５２を導いて、定量的に算出している。
【００５８】
［高導電性の試料液Ｓに含まれる細菌数を検査する場合の問題点とその解決方法］
高導電性の試料液Ｓに含まれる細菌数を検査する場合には、以下の問題が発生する。すなわち、高導電性の試料液Ｓにおいては、インピーダンスが変化する現象（ドリフト）が発生する。そして、このドリフトが、細菌Ｓ’によるインピーダンス変化量よりも大きい場合、細菌Ｓ’を定量的に測定する精度が低下してしまう。
【００５９】
ここで、具体的な等価回路を用いて説明する。高導電性の試料液Ｓが存在する場合における電極の電気的状態は、図８に示すような等価回路とみなすことができる。すなわち、薄膜電極２における一方の極５０、薄膜電極２における他方の極５１、等価回路における等価的な静電容量成分を表す静電容量Ｃ５２、等価回路における抵抗成分を表す抵抗Ｒ５３，５８から構成されているとみなすことができる。そして、抵抗Ｒ５３は、櫛歯部１３に形成されているとみなす抵抗、抵抗Ｒ５８は、薄膜電極２の裏面１９側に形成されているとみなす抵抗を表している。すなわち、高導電性の試料液Ｓによってインピーダンスが変化する部分である抵抗Ｒ５８を含むこととなる。
【００６０】
そこで、本実施形態の細菌検査装置９に含まれる薄膜電極２においては、薄膜電極２の裏面１９をモールド樹脂で覆う第１表面被覆部１４を形成している。
これにより、高導電性の試料液Ｓと薄膜電極２の裏面１９との接触面積を小さくして、薄膜電極２に流れる電流を減少させている。一方、細菌Ｓ’を捕集する櫛歯部１３においては、従来通りのインピーダンス変化を取得できるようにしている。言い換えれば、インピーダンスの変化を取得するにあたって、薄膜電極２の裏面１９において取得する高導電性の試料液Ｓによる悪影響が極力小さくなるようにしている。この結果、高導電性の試料液Ｓに細菌Ｓ’が含有されている場合であっても、ドリフトの影響を回避し、細菌Ｓ’を定量的に測定する精度を向上させることが可能となる。
【００６１】
［細菌検査装置９の特徴］
（１）
本実施形態の細菌検査装置９では、薄膜電極２における試料液Ｓと接する表面（一方の面）１８とは反対側の表面（他方の面１９）が、図２に示すように、モールド樹脂によって完全に覆う第１表面被覆部１４を形成している。
【００６２】
これにより、ドリフトによるインピーダンスの変化を検知する薄膜電極２における裏面１９と高導電性の試料液Ｓとの接触面積を小さくして、薄膜電極２に流れる電流を減少させることができる。すなわち、薄膜電極２における電気的特性変化において、細菌Ｓ’を捕集する以外の部分での電気的特性変化が占める割合を減少させて、高導電性の試料液Ｓの影響が極力小さくなるようにしている。この結果、高導電性の試料液Ｓに含まれる細菌を検査する場合であってもドリフトの影響を回避し、細菌Ｓ’を定量的に測定する精度を向上させることが可能となる。
【００６３】
（２）
本実施形態の細菌検査装置９では、薄膜電極２の裏面１９側が、図２，図３に示すように、測定セル１と一体に成形されている。
これにより、試料液Ｓと薄膜電極２とが接することを完全に遮断することが可能となる。この結果、細菌Ｓ’を定量的に測定する精度をさらに向上させることが可能となる。
【００６４】
（３）
本実施形態の細菌検査装置９では、薄膜電極２が、薄板状の樹脂板１７上に蒸着されている。
これにより、薄膜電極２を損傷等から保護することが可能となる。
【００６５】
（４）
本実施形態の細菌検査装置９では、薄膜電極２が、ＰＥＴにより形成された薄板状の樹脂板１７上に配置されている。
【００６６】
ここで、薄膜電極２を、測定セル１と一体に成形する場合、具体的には、樹脂板１７と薄膜電極２とをインジェクション金型にセットし、モールド樹脂を充填して一体成形する。
【００６７】
本実施形態の細菌検査装置９においては、樹脂板１７が、耐熱性を有するＰＥＴにより形成されているので、モールド樹脂を充填する際の熱から薄膜電極２を保護することが可能となる。
【００６８】
（５）
本実施形態では、裏面１９側がモールド樹脂で覆われている薄膜電極２が、細菌検査装置９に備えられている。
これにより、高導電性の試料液に含有される細菌Ｓ’を精度良く測定することを可能としている。
【００６９】
［第２の実施形態］
本発明の一実施形態に係る細菌検査装置（検査装置）１０９について、図９，図１０を用いて説明すれば以下の通りである。なお、ここでは、上記実施形態９と異なる構成部分について説明をし、同様の構成部分については説明を省略する。
【００７０】
細菌検査装置１０９は、図９に示すように、薄膜電極１０２における試料液Ｓと接する表面（一方の面）１１８が、導電部１１１が櫛歯状に対向して配置されている櫛歯部１１３を除いて、絶縁性のエポキシ性樹脂によるレジスト処理が行われている。すなわち、薄膜電極１０２は、試料液Ｓと接する表面１１８がレジスト被膜で覆われている第２表面被覆部１１６と、レジスト被膜で覆われていない櫛歯部１１３とをさらに備えている。
【００７１】
これにより、高導電性の試料液Ｓと櫛歯部１１３以外の領域、すなわち、非櫛歯部領域との接触面積を小さくして、薄膜電極１０２に流れる電流を減少させることができる。一方、細菌Ｓ’を捕集する櫛歯部１１３においては、従来通りのインピーダンスの変化を取得することができる。言い換えれば、インピーダンスの変化を取得するにあたって、細菌Ｓ’を捕集する櫛歯部１１３のインピーダンスの変化が占める割合を増加させて、非櫛歯部領域における高導電性の試料液Ｓによる悪影響が極力小さくなるようにしている。
【００７２】
この結果、細菌検査装置１０９は、高導電性の試料液Ｓに細菌Ｓ’が含有されている場合であっても、ドリフトの影響を回避し、細菌Ｓ’を定量的に測定する精度をさらに向上させることが可能となる。
【００７３】
［実施例］
本実施形態の細菌検査装置１０９が、高導電性の試料液Ｓに含有されている細菌Ｓ’を測定する場合であっても、定量的に測定する精度が確保されていることを確認するため、以下の実験を行った。
【００７４】
具体的には、細菌Ｓ’を含有しない３種類の電気伝導率を有する試料液Ｓ１〜Ｓ３（Ｓ１：２．７μＳ／ｃｍ、Ｓ２：１００μＳ／ｃｍ、Ｓ３：２５０μＳ／ｃｍ）をそれぞれ上記細菌検査装置１０９の測定セル１０１内に充填し、上記実施形態に示したような、モールド樹脂による被覆（第１表面被覆部１１４）とエポキシ性樹脂によるレジスト処理（第２表面被覆部１１６）とを施した薄膜電極１０２を使用した場合と、モールド樹脂による被覆を施しておらずエポキシ性樹脂によるレジスト処理のみ施した薄膜電極を使用した場合とにおいて、上記算出方法に基づいてそれぞれの静電容量Ｃを算出した。なお、本実施例の実験においては、２０秒間の変化をメモリに記録した値を元に単位時間当たりの静電容量Ｃの変化量をグラフ化した。
【００７５】
この結果、図１０に示すように、比較的電気伝導率の低い試料液Ｓ１については、裏面側１１９の表面（他方の面）をモールド樹脂で被覆処理したものと被覆処理していないものとの間では、算出された静電容量Ｃにほとんど差が発生しなかった。
【００７６】
一方、比較的電気伝導率の高い試料液Ｓ２，Ｓ３では、裏面側１１９の表面をモールド樹脂で被覆処理したものと被覆処理していないものとの間では、算出された静電容量Ｃに大きな差が発生した。これは、課題事項である、比較的電気伝導率の高い試料液Ｓ２，Ｓ３においてインピーダンスが変化する現象、すなわち、ドリフトが発生し、このドリフトが静電容量Ｃの算出に大きな影響を与えているからだと考えられる。
【００７７】
以上の実験結果より、裏面側１１９の表面が、モールド樹脂で覆われているような薄膜電極１０２を備えた細菌検査装置１０９を利用して高導電性の試料液Ｓに含有される細菌Ｓ’を測定すると、ドリフトによるインピーダンスの変化を排除することができ、より高い精度で静電容量Ｃを算出できることが確認できた。これにより、細菌Ｓ’を定量的に測定する精度をより向上させることが可能となる。
【００７８】
［他の実施形態］
以上、本発明の一実施形態について説明したが、本発明は上記実施形態に限定されるものではなく、発明の要旨を逸脱しない範囲で種々の変更が可能である。
【００７９】
（Ａ）
上記実施形態の細菌検査装置１０９では、薄膜電極１０２における試料液Ｓと接する表面（一方の面）１１８が、レジスト処理されて第２表面被覆部１１６が形成されている例を挙げて説明した。しかし、本発明はこれに限定されるものではない。
【００８０】
例えば、薄膜電極における試料液Ｓと接する表面（一方の面）において、櫛歯部以外の領域をモールド樹脂で覆う第２表面被覆部を形成してもよい。
また、エポキシ性樹脂等で覆われた第２表面被覆部をさらにモールド樹脂で覆ってもよい。そして、エポキシ性樹脂等とモールド樹脂との親和性を高めるために、バインダーインキを介してモールド樹脂と一体成形されていてもよい。このような構成であっても、上記の細菌検査装置１０９と同様の効果を得ることができる。
【００８１】
（Ｂ）
上記実施形態の細菌検査装置９（１０９）では、薄膜電極２（１０２）の裏面１９（１１９）側が、測定セル１（１０１）と一体に成形されている例を挙げて説明した。しかし、本発明はこれに限定されるものではない。
【００８２】
例えば、薄膜電極が測定セルの中央部に配置され、薄膜電極の裏面側が測定セルと一体に成形できないような場合であっても、裏面側が樹脂等によって被覆された第１表面被覆部が形成されていればよい。この場合も、上記の実施形態に係る細菌検査装置９と同様の効果を得ることができる。
【００８３】
（Ｃ）
上記実施形態の細菌検査装置９（１０９）では、薄板状の樹脂板１７（１１７）が、薄膜電極２（１０２）に蒸着されている例を挙げて説明した。しかし、本発明はこれに限定されるものではない。
【００８４】
薄膜電極の裏面側に樹脂板が配置されていなくても、ドリフトの影響を回避し、細菌Ｓ’を定量的に測定する精度を向上させるという、上記の実施形態に係る細菌検査装置９と同様の効果を得ることができる。
【００８５】
（Ｄ）
上記実施形態は、細菌Ｓ’を定量的に捕集するための薄膜電極２（１０２）が細菌検査装置９（１０９）に備えられている例を挙げて説明した。しかし、本発明はこれに限定されるものではない。
【００８６】
例えば、電気泳動のメカニズムによって薄膜電極に捕集できる微生物や、ＤＮＡ・タンパク質等の高分子等を検査する各種検査装置においても、本発明の薄膜電極を適用することが可能である。この場合も、上記の実施形態に係る細菌検査装置９と同様の効果を得ることができる。
【産業上の利用可能性】
【００８７】
本発明によれば、高導電性の溶液に含有される被検査物であっても、精度良く定量的に検査することが可能になるため、電気泳動によるメカニズムによって電極に捕集できる物質を検査する各種検査装置へ広く適用可能である。
【図面の簡単な説明】
【００８８】
【図１】本発明の第１の実施形態に係る細菌検査装置の概略図。
【図２】図１の細菌検査装置に含まれる薄膜電極周辺の拡大断面図。
【図３】図１の細菌検査装置に含まれる薄膜電極周辺の平面図。
【図４】図１の細菌検査装置に含まれる薄膜電極の平面図。
【図５】図４の薄膜電極に含まれる櫛歯部周辺の平面図。
【図６】（ａ）図４の薄膜電極における電気的状態を等価回路で示した説明図。（ｂ）は、電流と電圧との位相差を表した説明図。
【図７】インピーダンスのベクトル分解を説明する説明図。
【図８】高導電性の試料液が存在する場合の、図４の薄膜電極における電気的状態を等価回路で示した説明図。
【図９】本発明の第２の実施形態に係る細菌検査装置に含まれる薄膜電極周辺の拡大断面図。
【図１０】裏面側をモールド樹脂で被覆した薄膜電極およびモールド樹脂で被覆していない薄膜電極をそれぞれ使用して、異なる電気伝導率の試料液の静電容量を算出した結果を示すグラフ。
【符号の説明】
【００８９】
１        測定セル（ケース部）
２        薄膜電極
３        回転子
４        スターラー
５        電源部
６        測定部
７        制御部
８        表示部
９        細菌検査装置（検査装置）
１０      電極基板
１１      導電部
１２      ギャップ
１３      櫛歯部
１４      第１表面被覆部
１５      端子部
１７      樹脂板
１８      表面（一方の面）
１９      裏面（他方の面）
５０      極
５１      極
５２      静電容量
５３      抵抗
５４      時間軸
５５      振幅軸
５６      電圧
５７      電流
５８      抵抗
１０１    測定セル
１０２    薄膜電極
１０９    細菌検査装置（検査装置）
１１１    導電部
１１３    櫛歯部
１１４    第１表面被覆部
１１６    第２表面被覆部
１１８    表面（一方の面）
１１９    裏面（他方の面）
Ｓ        試料液（溶液）
Ｓ’      細菌（被検査物）
【図１】
2011106814.tif 000010
【図２】
2011106814.tif 000011
【図３】
2011106814.tif 000012
【図４】
2011106814.tif 000013
【図５】
2011106814.tif 000014
【図６】
2011106814.tif 000015
【図７】
2011106814.tif 000016
【図８】
2011106814.tif 000017
【図９】
2011106814.tif 000018
【図１０】
2011106814.tif 000019